(57)【要約】【課題】ＳＦ６ガスやフロン系ガスの回収や、貯蔵、運搬に用いるタンクであって、搬送中や貯蔵時における転倒や転がり移動を防止して、座りの安定性に優れると共に、ガス漏洩に対する安全性にも優れたＳＦ６ガス又はフロン系ガス用タンクを提供する。【解決手段】中空円筒形をなすタンク本体２の軸方向両端部に、上記タンク本体２の外径寸法よりも大きい各辺を有する矩形状のハンドルプレート３を軸方向に垂直に、そして各辺の方向を一致させた状態に取付ける。【選択図】図１
0003114993.tif 000002
【実用新案登録請求の範囲】
【請求項１】
中空円筒形をなすタンク本体の軸方向両端部に、上記タンク本体の外径寸法よりも大きい各辺を備えた矩形状のハンドルプレートを軸方向に垂直且つ各辺の方向を一致させた状態に取付けたことを特徴とするＳＦ６ガス又はフロン系ガス用タンク。
【請求項２】
上記ハンドルプレートが矩形状をなすプレート本体の各辺からタンク本体側に向けてそれぞれ延出する連結プレートを有し、上記プレート本体及び連結プレートのそれぞれに連結用のボルト挿通孔が形成してあることを特徴とする請求項１に記載のＳＦ６ガス又はフロン系ガス用タンク。
【請求項３】
ホースコネクタの着脱に基づいて開閉する自閉機構弁を備えていることを特徴とする請求項１又は２に記載のＳＦ６ガス又はフロン系ガス用タンク。
【請求項４】
内容物の情報を書込んだＩＣチップを備えていることを特徴とする請求項１〜３のいずれか１つの項に記載のＳＦ６ガス又はフロン系ガス用タンク。
【考案の詳細な説明】
【技術分野】
【０００１】
本考案は、オゾン層破壊作用がある特定フロンや、オゾン層破壊の働きはないにしても地球温暖化作用がある代替フロンなどのフロン系ガス、あるいは地球温暖化効果が極めて大きいＳＦ６（六フッ化硫黄）ガスのように、地球の気候変動に深刻な影響を及ぼすガスを回収したり、貯蔵・保管したり、運搬したりするための容器として用いられるＳＦ６ガス又はフロン系ガス用タンクに関するものである。
【背景技術】
【０００２】
各種フロンガスのうち、塩素を含むクロロフルオロカーボン（ＣＦＣ）は、冷媒や噴霧剤、洗浄剤などに多量に用いられていたが、大気中に放出された場合には、やがて成層圏に達し、紫外線で分解されて塩素原子を生成し、これが連鎖反応によってオゾン層を破壊することから、特定フロンとして生産が打ち切られている。
また、特定フロンの代替フロンなど、塩素を含まないフロン系ガスについても、オゾン層を破壊する働きはないものの、地球温暖化効果が指摘されている。
【０００３】
一方、ＳＦ６ガスは、例えばガス絶縁開閉装置や変圧器などの高電圧電力機器の絶縁媒体として用いられるが、電流遮断時に発生するアークによる熱分解や変質、長時間使用による水分や金属微粉末の混入等によって絶縁耐力が低下するため、定期的に回収して、点検、交換、回収ガスの再生などを行なうことが必要となる（例えば、特許文献１の段落［０００５］参照）。
【特許文献１】特開平１１−９９５１号公報
【考案の開示】
【考案が解決しようとする課題】
【０００４】
上記特定フロンガスは生産が打ち切られているものの、使用中及び使用済みのフロンガスを各種機器、装置から取出し、再生あるいは分解処理するためには、これらを回収し、運搬、貯蔵するための容器が必要となる。
また、他のフロンガスや、ＳＦ６ガスなどの地球温暖化ガスについても、これらガスの使用に際しては、当然のことながら、新規設備、機器への充填や、定期点検のための回収、使用済みガスの交換や再生処理、さらには廃棄ガスの分解処理等を行なう必要があり、これらのガスを専門工場との間で運搬したり、保管したりするためには、適当な容器を用いる必要がある。
【０００５】
ここで、オゾン層破壊の原因となる特定フロンについてはもとより、地球温暖化ガス、特にＳＦ６ガスについては、温暖化効果が炭酸ガス（ＣＯ２）の２３，０００倍、滞空寿命が３２００年と見積もられていることから、いずれについても大気中への放出を絶対に避けねばならないガスであるにも拘らず、これらのＳＦ６ガスやフロン系ガスを収容する容器としては、従来の酸素や窒素、液化天然ガス用のボンベと同様の円筒状タンクが用いられている関係上、貯蔵時や搬送時の安定性に欠け、地震によって、あるいは搬送中のゆれによって、転倒したり、転がり移動したりすることがないとは言えず、特に手動バルブの締め方が不十分であったような場合には、充填されたガスが大気中に放出され兼ねないという問題点があった。
【０００６】
本考案は、従来のＳＦ６ガスあるいはフロン系ガス用のタンクにおける上記課題に鑑みてなされたものであって、その目的とするところは、運搬及び貯蔵時における座りの安定性と、ガス漏洩に対する安全性に優れ、内容物ガスを大気に漏洩させることなく確実に貯蔵すると共に、簡便且つ安全に運搬することができるＳＦ６ガス又はフロン系ガス用のタンクを提供することにある。
【課題を解決するための手段】
【０００７】
本考案者は、上記目的を達成すべく、タンクの構造などについて鋭意検討を重ねた結果、円筒形のタンク両端部に矩形状のハンドルプレートを取付けることによって、円筒形タンクを転がらないように横置きすることができ、上記課題が解決できることを見出し、本考案を完成するに到った。
【０００８】
すなわち、本考案は上記知見に基づくものであって、本考案のＳＦ６ガス又はフロン系ガス用タンクは、中空円筒形をなすタンク本体の軸方向両端部に、上記タンク本体の外径寸法よりも大きい各辺を有する矩形状のハンドルプレートを軸方向に垂直に、そして各辺の方向を一致させた状態に取付けたことを特徴としている。
【０００９】
また、本考案のＳＦ６ガス又はフロン系ガス用タンクの好適形態としては、上記ハンドルプレートが、矩形状をなすプレート本体の各辺からタンク本体側に向けてそれぞれ延出する連結プレートを有し、これらプレート本体及び連結プレートのそれぞれに連結用のボルト挿通孔が形成してあることを特徴とし、他の好適形態としては、ホースコネクタの着脱に基づいて開閉する自閉機構弁を備えていることを特徴とし、さらに他の好適形態としては、内容物の情報を書込んだＩＣチップを備えたことを特徴としている。
【考案の効果】
【００１０】
本考案によれば、中空円筒形をなすタンク本体の長手方向（軸方向）両端部に、このタンク本体の外径寸法よりも各片が大きい矩形状のハンドルプレートを軸方向に垂直に取付け、両端部の位置する２枚のハンドルプレートの各辺の方向を一致させ、両端部のハンドルプレートの各辺がそれぞれ同一平面上に位置するようにしてあるので、当該プレートが運搬や積換え時の持ち運びに際してはハンドル（取っ手）として機能すると共に、水平方向に載置した時にはタンク本体のスタンドとして機能することから、当該タンクを天地に関係なく水平姿勢に置くことができ、これによって保管中や搬送中における転倒や転がって移動することを防止して、安定性が格段に向上し、転倒時や衝突時の衝撃に基づく収納ガスの漏洩を防止することができるという優れた効果がもたらされる。
【考案を実施するための最良の形態】
【００１１】
以下に、本考案のＳＦ６ガス又はフロン系ガス用タンクについて、さらに詳細に説明する。
【００１２】
本考案のＳＦ６ガス又はフロン系ガス用タンクは、上記したように、中空円筒状をなすタンク本体の両端部に矩形状のハンドルプレートを取付けたものであって、当該プレートが持ち運び時のハンドル（握り）として機能すると共に、転倒や転がりを防止するスタンドとして機能するようにしたものであるが、上記ハンドルプレートの材質としては、後述するように、前後左右方向に連結したり、積み重ねたりした場合の強度を確保する観点から、金属製、とりわけスチール製のものを基本とするが、このような強度的な条件を満足する限り、金属製のみに限定される訳ではなく、例えば強化プラスチック製とすることもできる。
【００１３】
上記ハンドルプレートは、１枚の板から成る平面状のものであっても、タンクの転倒や転がり移動を防止することができると共に、当該プレートを介してタンク同士を長さ方向に連結することができるが、左右に隣接するタンク同士を連結したり、高さ方向に積み重ねたタンク同士を連結したりして、安定性を確保するためには、当該ハンドルプレートの矩形状をなす本体部分の各辺（四辺）からそれぞれ延出する連結プレートを設けることが望ましい。
【００１４】
すなわち、上記ハンドルプレートの矩形状をなすプレート本体の各辺からタンク本体側に向けて延出する連結プレートを設け、上記プレート本体と各連結プレートのそれぞれに連結用のボルト挿通孔を形成するようになす。
これによって、長さ方向に隣接するタンクのハンドルプレート同士をプレート本体に形成されたボルト挿通孔を利用してボルト締結することによって、両タンクを縦方向に連結することができ、ハンドルプレートに延設された各連結プレートのボルト挿通孔を利用して隣接するハンドルプレートの連結プレート同士をボルト締結することによって、上下左右に隣接するタンクを強固に連結することができ、タンクを数段に積み重ねた状態でも安定に保管したり、運搬したりすることができるようになる。
【００１５】
なお、上記ボルト挿通孔には、あらかじめナットを溶接しておいたり、当該ナットにあらかじめボルトを嵌合しておいたりすることも、必要に応じて望ましい。このとき、締結用のボルトとして、蝶ボルト（ウイングボルト）を利用すれば、スパナなどの工具を使用することなく、簡単に締結作業を行なうことが可能になる。
【００１６】
上記ハンドルプレートの形状は矩形状のものとするが、方向性をなくして、向きに関係なくタンクを床に載置したり、積み重ねたりすることができることから、正方形にすることが一般的である。
一方、これとは逆に、方向性を持たせることによって載置する向きを限定すれば、タンクの表示を視認し易くしたり、載置した場合の安定性をより向上させたりすることもでき、必要に応じて、横長の長方形を採用することも可能である。
【００１７】
上記タンクにＳＦ６ガスやフロン系ガスを注入したり、タンクからこれらのガスを排出したりするためのバルブ機構としては、従来では、スパナやハンドルの手動操作によって開閉するものが採用されていたが、これに代えてホースコネクタの着脱に基づいて開閉する自閉機構弁を採用することが望ましい。
すなわち、このような自閉機構弁は、ホースコネクタを接続しない限り開くことがないので、地球環境に有害な収納ガスの大気漏洩を効果的に防止することができる。
【００１８】
上記自閉機構弁の取付け位置としては、タンクを静置した時に当該弁が床側を向くことがなく、また、隣接するタンク本体との距離を十分なものとすることができる観点から、ハンドルプレートのいずれかの辺に対して、概ね４５°の角度となる位置に配設することが望ましい。
なお、当該自閉機構弁には、ホースコネクタの接続時以外は、常時保護キャップを装着しておくことによって、漏れ防止をより確実なものとすることができる。
【００１９】
さらに、本考案のＳＦ６ガス又はフロン系ガス用タンクは、その内容物の特性から、輸送時における流通経路の連続性を明確化し、トレーサビリティを高める観点から、内容物に関する種々の情報を書込んだＩＣチップを備えていることが望ましい。
このような情報としては、例えば内容ガスの種類、純度、水分含有量、容量、充填圧力、発送日、発送人、受取人などが考えられる。
【実施例】
【００２０】
以下、本考案を実施例に基づいて更に詳述するが、本考案はこれらの実施例に限定されるものではない。
【００２１】
図１及び図２は、本発明のＳＦ６ガス又はフロン系ガス用タンクの一実施例を示すそれぞれ正面図及び側面図であって、図に示すタンク１は、中空円筒形をなすタンク本体２と、その両端部に取付けられたハンドルプレート３，３から主に構成されている。
【００２２】
上記タンク本体２は、上記のように中空円筒状をなす鋼製の溶接構造物であって、その胴部中央の図中左端寄りの部位には、中心軸を通る水平面から４５°の高さ位置に、当該タンク１にＳＦ６ガスやフロン系ガスを給排気するためのバルブ機構として、後述する構造を備えた自閉機構弁６を備えている。
【００２３】
さらに、タンク本体２は、図中左端側に、ラプチャ―ディスク７を備えると共に、両端部には、上記ハンドルプレート３，３をボルト接合するための締結片２ａがそれぞれ４枚溶接されている。
【００２４】
ハンドルプレート３は、図３（ａ）及び（ｂ）にも示すように、この実施例では、正方形をなすプレート本体４と、該プレート本体４の各辺からそれぞれタンク本体２の側に延出する４枚の連結プレート５から成る箱状のものであって、上記プレート本体４には、タンク本体２の締結片２ａと対応する位置に同じく４枚の締結片４ａが溶接されており、タンク側締結片２ａとプレート側締結片４ａとをボルト接合することによって、当該ハンドルプレート３がタンク本体２の両端部に取付けてある。
そして、当該プレート本体４の外縁寄りの位置には、矩形状の開口部４ｂが各辺に沿うように形成されており、当該タンク１の持ち運びに際して、手掛かり（握り）となるようにしてある。
【００２５】
そして、上記プレート本体４の四隅、及び上記連結プレート５の２個所には、ボルト挿通孔４ｃ及び５ａがそれぞれ形成されており、ボルト締結によって隣接するハンドルプレート３と連結できるようになっている。
【００２６】
上記自閉機構弁６は、図４に示すように、バルブケース８と、該バルブケース８の内部に摺動自在に収納された弁体９と、この弁体９を図中右方向に付勢して、当該弁６を閉状態に保持するバルブスプリング１０から主に構成されており、シール材１１を介して、タンク本体２に気密状態に取付けられている。
【００２７】
当該自閉機構弁６において、弁体９は、上記したように常時バルブスプリング１０によって図中の右方向に押圧されてバルブケース８の弁座８ａとの間をシールし、閉状態に保持してガスの流通を阻止しているが、ホースコネクタ１２をバルブケース８の外周部に形成された雄ねじ部８ｂに捩じ込むことによって、ホースコネクタ１２の内側中央部に形成された突起１２ａが弁体９の先端部９ｂに当接して、当該弁体９をバルブスプリング１０の弾性力に抗して押込み、弁体９がバルブケース８の弁座８ａから離れることによって開状態となり、ホースからのガスをタンク本体２の内部に充填したり、タンク本体２に充填されたガスをホース側に排出したりすることができるようになる。
なお、上記自閉機構弁６には、ホースコネクタ１２による給排気時以外は、上記バルブケース８の雄ねじ部８ｂに螺合する雌ねじを備えた保護キャップを常に装着しておくようにする。
【００２８】
上記構造を有するタンク１は、正方形のハンドルプレート３を両端部に備えているので、図１に示したように水平方向（寝かせた状態）に置くことによって、地震や搬送中の揺れによっても、転倒したり、転がったりすることがなく、しかも自閉機構弁６を備えていることから、ホースコネクター１２を接続しない限り、バルブスプリング１０によって常時閉状態に保持されることから、閉め忘れたり、緩んだりすることがなく、内容物である地球環境に深刻な影響を及ぼすガスの大気への漏洩を極めて効果的に防止することができる。
【００２９】
また、上記タンク１は、上端部に備えたハンドルプレート３に形成したボルト挿通孔４ｃ及び５ａを利用することによって、複数のタンク１を前後、左右、上下方向に連結することができ、これによって多数のタンク１の保管や運搬時の安定性及び安全性を向上させることができる。
【００３０】
すなわち、図５及び６は、上記ハンドルプレート３を介して、多数のタンク１を前後、左右及び上下方向に連結する要領を示すものであって、図５に示すように、隣接するハンドルプレート３のプレート本体４同士を突合せ、ボルト挿通孔４ｃ，４ｃにボルトＢを通してナットを締め付けることによって、タンク１を前後方向（縦方向）に連結することができる。
【００３１】
また、図６にも示すように、隣接するハンドルプレート３の連結プレート５同士を突合せ、ボルト挿通孔５ａ，５ａにボルトＢを通して締結することによって、タンク１を左右方向（横方向）あるいは上下方向（高さ方向）に連結することができる。
このようにタンク１同士をハンドルプレート３を介して連結することによって、多数のタンク１を積み重ねた場合でも、崩れることなく、安定且つ安全に保管したり、輸送したりすることができるようになる。
【図面の簡単な説明】
【００３２】
【図１】本考案の一実施例に係るＳＦ６ガス又はフロン系ガス用タンクの構造を説明する正面図である。
【図２】図１に示したＳＦ６ガス又はフロン系ガス用タンクの側面図である。
【図３】（ａ）図１におけるハンドルプレートの正面図である。            （ｂ）図３（ａ）に示したハンドルプレートの側面図である。
【図４】図１における自閉機構弁の構造を示す部分断面説明図である。
【図５】図１に示したタンクをそのハンドルプレートを介して縦方向に連結する要領を示す説明図である。
【図６】図１に示したタンクをそのハンドルプレートを介して横方向及び高さ方向にに連結する要領を示す説明図である。
【符号の説明】
【００３３】
１  ＳＦ６ガス又はフロン系ガス用タンク
２  タンク本体
３  ハンドルプレート
４  プレート本体
４ｃ  ボルト挿通孔
５  連結プレート
５ａ  ボルト挿通孔
６  自閉機構弁
【図１】
0003114993.tif 000003
【図２】
0003114993.tif 000004
【図３】
0003114993.tif 000005
【図４】
0003114993.tif 000006
【図５】
0003114993.tif 000007
【図６】
0003114993.tif 000008